(57)【要約】【課題】見栄えを良くする。【解決手段】コンパクト容器１は、内容物を収容する容器本体２と、容器本体２に開閉可能に連結された蓋体４と、蓋体４に、少なくとも一部が蓋体４の天壁部から露出した状態で、天壁部に沿うスライド方向Ｘにスライド移動可能に配置された操作体と、を備え、容器本体２および操作体のうちのいずれか一方には、スライド方向Ｘに異種の磁極が配置された第１磁石４１が設けられ、いずれか他方には、第２磁石４２が設けられ、操作体は、スライド方向Ｘに、第１磁石４１と第２磁石４２の異種の磁極同士が互いに接近する閉位置と、第１磁石４１と第２磁石４２の同種の磁極同士が互いに接近する開位置と、の間でスライド移動可能に配置されている。【選択図】図４
2016137207.tif 000002
【特許請求の範囲】
【請求項１】
内容物を収容する容器本体と、
前記容器本体に開閉可能に連結された蓋体と、を備えるコンパクト容器であって、
前記蓋体に、少なくとも一部が前記蓋体の天壁部から露出した状態で、前記天壁部に沿うスライド方向にスライド移動可能に配置された操作体を備え、
前記容器本体および前記操作体のうちのいずれか一方には、前記スライド方向に異種の磁極が配置された第１磁石が設けられ、いずれか他方には、第２磁石が設けられ、
前記操作体は、前記スライド方向に、前記第１磁石と前記第２磁石の異種の磁極同士が互いに接近する閉位置と、前記第１磁石と前記第２磁石の同種の磁極同士が互いに接近する開位置と、の間でスライド移動可能に配置されていることを特徴とするコンパクト容器。
【請求項２】
前記操作体が前記開位置に位置した状態で、前記操作体を前記閉位置に向けて付勢する付勢体を更に備えていることを特徴とする請求項１記載のコンパクト容器。
【請求項３】
前記操作体は、前記天壁部に沿って延びるフィルムにより形成されていることを特徴とする請求項１または２に記載のコンパクト容器。
【請求項４】
前記蓋体は、前記天壁部が装着されるとともに、前記天壁部との間に、前記操作体を収容する収容空間を形成する本体部を備えていることを特徴とする請求項１から３のいずれか１項に記載のコンパクト容器。
【発明の詳細な説明】
【技術分野】
【０００１】
本発明は、コンパクト容器に関する。
【背景技術】
【０００２】
この種のコンパクト容器として、アイシャドーやアイライナー、ファンデーション等の化粧料を収容する容器本体と、この容器本体の後部に開閉自在に連結された蓋体と、容器本体と蓋体との間の閉状態を保持するための係合機構と、を備えるものが従来から知られている。
特許文献１には、上記係合機構に磁石の磁力を利用したものが開示されている。この容器では、容器本体に、Ｓ，Ｎ両磁極が前後方向に連なるように配置された第１磁石が、前方付勢状態で後方移動自在に配設されるとともに、第１磁石を後方に押し込み可能な操作部が設けられている。他方、蓋体には、第２磁石が設けられており、操作部の押し込みにより、第１磁石及び第２磁石の同種の磁極同士が接近することで、両磁石間に互いに反発し合う磁力が発生し、容器本体から蓋体が開かれるようになっている。
【先行技術文献】
【特許文献】
【０００３】
【特許文献１】実公昭５９−２５２８３号公報
【発明の概要】
【発明が解決しようとする課題】
【０００４】
ところで、上記特許文献１に係る容器では、見栄えを良くすることに改善の余地がある。
【０００５】
本発明は、前述した事情に鑑みてなされたものであって、見栄えを良くすることを目的とする。
【課題を解決するための手段】
【０００６】
前記課題を解決するために、本発明は以下の手段を提案している。
本発明に係るコンパクト容器は、内容物を収容する容器本体と、前記容器本体に開閉可能に連結された蓋体と、を備えるコンパクト容器であって、前記蓋体に、少なくとも一部が前記蓋体の天壁部から露出した状態で、前記天壁部に沿うスライド方向にスライド移動可能に配置された操作体を備え、前記容器本体および前記操作体のうちのいずれか一方には、前記スライド方向に異種の磁極が配置された第１磁石が設けられ、いずれか他方には、第２磁石が設けられ、前記操作体は、前記スライド方向に、前記第１磁石と前記第２磁石の異種の磁極同士が互いに接近する閉位置と、前記第１磁石と前記第２磁石の同種の磁極同士が互いに接近する開位置と、の間でスライド移動可能に配置されていることを特徴とする。
【０００７】
この場合、操作体を操作してスライド方向に閉位置と開位置との間でスライド移動させることで、容器本体と蓋体とが閉じられた状態と開けられた状態とを切り替えることができる。
ここで、操作体が蓋体の天壁部から露出しているので、操作体を蓋体の天壁部側から操作することが可能になり、操作体を蓋体の側面や容器本体の側面から露出させる必要がない。またこのように、操作体が蓋体の天壁部から露出しているので、操作体が外部に露出する大きさを、例えば、操作体を蓋体の側面や容器本体の側面から露出させる場合に比べて大きく確保する等、自由度高く調整することができる。さらに操作体が、スライド方向、つまり蓋体の天壁部に沿う方向にスライド移動するので、例えば操作体が、天壁部に直交する方向にスライド移動する場合等に比べて、コンパクト容器の厚みが大きくなるのを抑えることができる。これらにより、コンパクト容器の見栄えを良くすることができる。
【０００８】
前記操作体が前記開位置に位置した状態で、前記操作体を前記閉位置に向けて付勢する付勢体を更に備えていてもよい。
【０００９】
この場合、付勢体が、操作体が開位置に位置した状態で、操作体を閉位置に向けて付勢するので、操作体を操作してスライド移動させた後、この操作を解除したときに、付勢体の付勢力により、操作体を閉位置に復元移動させることができる。これにより、コンパクト容器の操作性を向上させることができる。
【００１０】
前記操作体は、前記天壁部に沿って延びるフィルムにより形成されていてもよい。
【００１１】
この場合、操作体が、天壁部に沿って延びるフィルムにより形成されているので、コンパクト容器の厚みが大きくなるのを抑えて見栄えを更に良くすることができる。
【００１２】
前記蓋体は、前記天壁部が装着されるとともに、前記天壁部との間に、前記操作体を収容する収容空間を形成する本体部を備えていてもよい。
【００１３】
この場合、蓋体が本体部を備えているので、本体部と天壁部との間に操作体を挟み込んだ状態で、本体部と天壁部とを組み付けることで、蓋体を形成することが可能になり、蓋体の組み立てを容易にすることができる。
【発明の効果】
【００１４】
本発明によれば、見栄えを良くすることができる。
【図面の簡単な説明】
【００１５】
【図１】本発明の一実施形態に係るコンパクト容器の上面図である。
【図２】図１に示すコンパクト容器の正面図である。
【図３】図１に示すコンパクト容器の側面図である。
【図４】図１に示すコンパクト容器の展開図である。
【図５】図１に示すＡ−Ａ断面矢視図である。
【図６】図１に示すＢ−Ｂ断面矢視図である。
【図７】図１に示すコンパクト容器の上面図であって、操作体を開位置にスライド移動させた状態を示す図である。
【発明を実施するための形態】
【００１６】
以下、図１から図７を参照し、本発明の一実施形態に係るコンパクト容器を説明する。
図１から図４に示すように、本実施形態のコンパクト容器１は、化粧品を収容する携帯用の蓋付き容器であり、平面視矩形状の扁平容器である。このコンパクト容器１は、化粧料（内容物）及び化粧塗布具をそれぞれ収容する容器本体２と、容器本体２にヒンジ３を介して連結された開閉可能な蓋体４と、を備えている。
【００１７】
ここで容器本体２は、偏平有底筒状（図示の例では、平面視矩形箱状）の外装体７を備えている。以下では、外装体７の中心軸線（容器本体２の中心軸線）を容器軸Ｏといい、容器軸Ｏに沿う方向を上下方向Ｚという。上下方向Ｚに沿って蓋体４側を上側といい、容器本体２側を下側という。ヒンジ３の軸線に沿う方向を左右方向Ｘ（スライド方向）といい、上下方向Ｚおよび左右方向Ｘに直交する方向を前後方向Ｙという。前後方向Ｙに沿って、容器軸Ｏに対するヒンジ３側を後側といい、その反対側を前側という。
【００１８】
図４から図６に示すように、容器本体２は、化粧料を収容する中皿２０を保持する第１凹部５と塗布具２１を収容する第２凹部６とが内部にそれぞれ形成された収容体であり、外装体７と、外装体７の内側に嵌合されて第１、第２凹部５、６をそれぞれ形成する内装体８と、で構成されている。
【００１９】
外装体７は、底壁部９の外縁に周壁部１０が全周に亘って立設された構成からなり、底壁部９は、左右方向Ｘに長い平面視略矩形状の平板部である。周壁部１０は、平面視矩形環状に形成された壁部であり、底壁部９に対して垂直に立設されている。図４に示すように、周壁部１０の後方側の後壁部には、前方にへこむヒンジ凹部１１が設けられている。
【００２０】
内装体８は、第１、第２凹部５、６をそれぞれ形成する第１、第２枠部１６、１７が左右方向Ｘに並設された枠体であり、第１、第２枠部１６、１７の上端に設けられたフランジ部１８の外縁が外装体７の周壁部１０の上端面に係止されており、フランジ部１８の上面が内装体８の上面を構成している。
第１、第２枠部１６、１７はそれぞれ四隅が弧状に形成されており、第１、第２枠部１６、１７は仕切り壁部１９を介して左右方向Ｘに一体に連結されている。
【００２１】
図１、図５および図６に示すように、蓋体４は、本体部２２と、鏡体２３と、天壁部２４と、を備えている。
本体部２２は、支持壁部２５と、支持壁部２５の外縁の全周に亘って垂下された周壁部２６と、支持壁部２５の外縁の全周に亘って立設された装着壁部２７と、を備えている。天壁部２４は、左右方向Ｘに長い平面視略矩形状の平板部であり、容器本体２の上方に位置する。周壁部２６および装着壁部２７は、平面視矩形環状に形成された壁部であり、天壁部２４に対して垂直に形成されている。
【００２２】
周壁部２６の後方側の後壁部にはヒンジ軸壁２８が垂下されており、ヒンジ軸壁２８は、ヒンジ凹部１１の内側に配置されている。ヒンジ軸壁２８の両端部とヒンジ凹部１１とが、左右方向Ｘに延びる軸部２９を介して連結されることでヒンジ３が形成される。
鏡体２３は、支持壁部２５の下面に配設されている。
【００２３】
天壁部２４は、左右方向Ｘに長い平面視略矩形状の平板部であり、本体部２２に装着される。天壁部２４の表裏面は、容器軸Ｏに直交している。天壁部２４には、操作開口３０が形成されている。操作開口３０は、平面視略矩形状の開口部であり、容器軸Ｏと同軸に配置されている。天壁部２４の外周縁には、脚壁部３１が設けられている。脚壁部３１は、平面視矩形環状に形成された壁部であり、本体部２２の外縁の全周に亘って垂下されている。
【００２４】
天壁部２４は、本体部２２に装着されていて、本実施形態では、天壁部２４の脚壁部３１が、本体部２２の装着壁部２７の内側に嵌合されている。本体部２２と天壁部２４との間には、操作開口３０を通して外部に開口する収容空間３２が形成されている。
【００２５】
収容空間３２内には、操作体３３と、付勢体３４と、ストッパ部３５と、が設けられている。
操作体３３は、左右方向Ｘに長い平面視略矩形状の平板部であり、本実施形態では、蓋体４の天壁部２４に沿って延びるフィルムにより形成されている。操作体３３の表裏面は、容器軸Ｏに対して直交している。操作体３３は、蓋体４に、少なくとも一部が蓋体４の天壁部２４から露出した状態で、左右方向Ｘにスライド移動可能に配置されている。操作体３３の平面視形状は、収容空間３２の平面視形状よりも前後方向Ｙおよび左右方向Ｘの両方向に小さく、かつ、操作開口３０よりも前後方向Ｙおよび左右方向Ｘの両方向に大きい。
【００２６】
付勢体３４は、操作体３３を左右方向Ｘに付勢可能なバネであり、本実施形態では、線状の樹脂バネにより形成されている。付勢体３４は、操作体３３に対して左右方向Ｘの一方側に配置され、操作体３３を他方側に向けて付勢可能とされている。以下では、左右方向Ｘに沿って、操作体３３に対する付勢体３４側を右側（一方側）といい、その反対側を左側（他方側）という。
付勢体３４は、コンパクト容器１の平面視において、右側に向けて凸となるように湾曲（屈曲）されていて、前後方向Ｙに対称に形成されている。付勢体３４は、前後方向Ｙの中央に位置する固定部３６と、固定部３６から前後方向Ｙの両側に向けて延びる主ばね部３７と、を備えている。
【００２７】
固定部３６は、蓋体４の天壁部２４に固定されており、本実施形態では、天壁部２４に設けられた固定突起３８と、天壁部２４の脚壁部３１と、の間に左右方向Ｘに挟持されている。固定突起３８は、前後方向Ｙに離間して一対配置されていて、固定部３６の前後方向Ｙの両端部を左右方向Ｘに挟持している。
主ばね部３７は、固定部３６の前後方向Ｙの両端部から、前後方向Ｙの両側に向けて各別に延びている。主ばね部３７は、前後方向Ｙに沿って固定部３６から離間するに従い漸次左側に向けて延びるように湾曲している。
【００２８】
ストッパ部３５は、操作体３３の左側に向けたスライド移動を規制する突起であり、本実施形態では、蓋体４の天壁部２４に設けられている。ストッパ部３５は、前後方向Ｙに間隔をあけて複数（図示の例では２つ）設けられている。ストッパ部３５は、天壁部２４の下面から垂下されている。ストッパ部３５の左側の端部は、天壁部２４の脚壁部３１に連結され、ストッパ部３５の右側の端部は、右側に向けて凸となる凸曲面状に形成されている。
【００２９】
ここで本実施形態では、容器本体２および操作体３３のうちのいずれか一方には、左右方向Ｘに異種の磁極が配置された第１磁石４１が設けられ、いずれか他方には、第２磁石４２が設けられている。本実施形態では、第１磁石４１が容器本体２に設けられ、第２磁石４２が操作体３３に設けられている。第１磁石４１および第２磁石４２は、容器本体２および蓋体４それぞれの前側部分に、上下方向Ｚに対向可能に配置されている。
【００３０】
第１磁石４１は、容器本体２の内部に配置されており、外部に露出していない。第１磁石４１は、左右方向Ｘに並ぶ閉磁石４１ａおよび開磁石４１ｂを備えている。閉磁石４１ａおよび開磁石４１ｂはそれぞれ、上下方向Ｚに異なる磁極が連なるように配置されており、閉磁石４１ａにおいて上側に位置する磁極と、開磁石４１ｂにおいて上側に位置する磁極と、が異なっている。本実施形態では、閉磁石４１ａが左側に位置し、開磁石４１ｂが右側に位置している。
【００３１】
第１磁石４１は、容器本体２の内部に設けられた第１空間４３に収容されている。第１空間４３は、閉磁石４１ａおよび開磁石４１ｂそれぞれに対応して一対設けられている。第１空間４３の底面には、第１磁石４１を下方から支持する支持柱部４５が立設されている。
【００３２】
第２磁石４２は、蓋体４と操作体３３との間に配置されており、外部に露出していない。第２磁石４２は、操作体３３に、例えば接着剤や両面テープなどを介して固着されている。第２磁石４２は、上下方向Ｚに異なる磁極が連なるように配置されている。第２磁石４２において下側に位置する磁極は、閉磁石４１ａにおいて上側に位置する磁極とは異なっていて、開磁石４１ｂにおいて上側に位置する磁極と同じになっている。
【００３３】
第２磁石４２は、蓋体４と操作体３３との間に設けられた第２空間４６に、左右方向Ｘに移動可能に収容されている。第２空間４６は、コンパクト容器１の平面視において左右方向Ｘに延びる長穴状に形成されている。第２空間４６は、蓋体４の本体部２２における支持壁部２５の上面に、凹溝状に形成されている。第２空間４６は、コンパクト容器１の平面視において第１磁石４１と重なる位置に配置されている。
【００３４】
そして本実施形態では、操作体３３は、図１に示すような閉位置と、図７に示すような開位置と、の間で左右方向Ｘにスライド移動可能に配置されている。図示の例では、操作体３３を操作する前の状態では、操作体３３は左側の閉位置に位置し、操作体３３を、操作開口３０を通して操作して右側に向けてスライド移動させることで、操作体３３が開位置に移動する。
【００３５】
図１に示すように操作体３３が閉位置に位置するときには、第１磁石４１と第２磁石４２の異種の磁極同士が互いに接近（対向）して両磁石が磁着し合う。これにより、蓋体４が容器本体２を閉塞した状態が維持される。
一方、図７に示すように操作体３３が開位置に位置するときには、第１磁石４１と第２磁石４２の同種の磁極同士が互いに接近（対向）して両磁石が反発し合う。これにより、蓋体４の前部が容器本体２の前側部分に対して上側に向けて離間するように、ヒンジ３を起点として回動し、容器本体２が開放される。
【００３６】
このように、操作体３３を操作して左右方向Ｘに閉位置と開位置との間でスライド移動させることで、容器本体２と蓋体４とが閉じられた状態と開けられた状態とを切り替えることができる。なお付勢体３４は、操作体３３が開位置に位置した状態で、操作体３３を閉位置（左側）に向けて付勢する。そのため、操作体３３が開位置に位置した状態で操作体３３の操作を解除すると、操作体３３は、付勢体３４により閉位置に向けて付勢されて復元変位する。このとき、操作体３３の過度な左側に向けた移動は、ストッパ部３５により規制される。
【００３７】
以上説明したように、本実施形態に係るコンパクト容器１によれば、操作体３３が蓋体４の天壁部２４から露出しているので、操作体３３を蓋体４の天壁部２４側から操作することが可能になり、操作体３３を蓋体４の側面や容器本体２の側面から露出させる必要がない。またこのように、操作体３３が蓋体４の天壁部２４から露出しているので、操作体３３が外部に露出する大きさを、例えば、操作体３３を蓋体４の側面や容器本体２の側面から露出させる場合に比べて大きく確保する等、自由度高く調整することができる。さらに操作体３３が、左右方向Ｘ、つまり蓋体４の天壁部２４に沿う方向にスライド移動するので、例えば操作体３３が、上下方向Ｚ、つまり天壁部２４に直交する方向にスライド移動する場合等に比べて、コンパクト容器１の厚みが大きくなるのを抑えることができる。これらにより、コンパクト容器１の見栄えを良くすることができる。なお、操作体３３が外部に露出する大きさを大きく確保することで、コンパクト容器１の操作性を向上させる効果を期待することもできる。
【００３８】
また付勢体３４が、操作体３３が開位置に位置した状態で、操作体３３を閉位置に向けて付勢するので、操作体３３を操作してスライド移動させた後、この操作を解除したときに、付勢体３４の付勢力により、操作体３３を閉位置に復元移動させることができる。これにより、コンパクト容器１の操作性を向上させることができる。
【００３９】
また操作体３３が、天壁部２４に沿って延びるフィルムにより形成されているので、コンパクト容器１の厚みが大きくなるのを抑えて見栄えを更に良くすることができる。
また、蓋体４が本体部２２を備えているので、本体部２２と天壁部２４との間に操作体３３を挟み込んだ状態で、本体部２２と天壁部２４とを組み付けることで、蓋体４を形成することが可能になり、蓋体４の組み立てを容易にすることができる。
【００４０】
なお、本発明の技術的範囲は前記実施形態に限定されるものではなく、本発明の趣旨を逸脱しない範囲において種々の変更を加えることが可能である。
【００４１】
操作体３３を透明若しくは半透明とし、操作体３３をスライド移動したときに、操作体３３と、操作体３３の直下に位置する部材と、の相対的な位置が変化したことで、蓋体４の上面視において、操作体３３と、操作体３３の直下に位置する部材と、の重ね合わせが発現する図柄や模様等を変化させるようにしてもよい。
例えば、閉位置ではつぼみが発現され、開位置ではそのつぼみが開いた花が発現されるような態様としてもよい。なお、前述した操作体３３の直下に位置する部材として、蓋体の本体部２２における支持壁部２５の上面でもよいし、操作体３３と支持壁部２５との間に配設したフィルム等であってもよい。
【００４２】
蓋体４の天壁部２４と本体部２２とが一体に形成されていてもよい。
また、操作体３３と付勢体３４とが一体に形成されていてもよい。この場合、操作体３３を形成するフィルムにおける右端部を付勢体３４とすることが可能であり、操作体３３が右側に向けてスライド移動したときに、操作体３３（フィルム）の右端部により構成された付勢体３４を撓み変形させることで、操作体３３を左側に向けて付勢することができる。
【００４３】
付勢体３４、ストッパ部３５がなくてもよい。
第１磁石４１は、１つの磁石により構成されていてもよい。この場合、第１磁石４１として、左右方向Ｘに異なる磁極を連なるように配置した棒磁石などを採用することができる。
第２磁石４２として、左右方向Ｘに異なる磁極を連なるように配置した構成を採用することも可能である。この場合、蓋体４の閉位置において、第１磁石４１と第２磁石４２との磁極の位置が左右方向Ｘに入れ替わり、第１磁石４１と第２磁石４２とが磁着し合うように、両磁石４１、４２を配置しておき、蓋体４を右側にスライド移動させて開位置まで到達させたときに、第１磁石４１の右側の磁極と第２磁石４２の左側の磁極とが反発し合うような構成を採用することができる。
第１磁石４１が蓋体４に配置され、第２磁石４２が容器本体２に配置されてもよい。
【００４４】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００４５】
１  コンパクト容器
２  容器本体
４  蓋体
２２  本体部
２４  天壁部
３２  収容空間
３３  操作体
３４  付勢体
４１  第１磁石
４２  第２磁石
Ｘ  左右方向（スライド方向）
【図１】
2016137207.tif 000003
【図２】
2016137207.tif 000004
【図３】
2016137207.tif 000005
【図４】
2016137207.tif 000006
【図５】
2016137207.tif 000007
【図６】
2016137207.tif 000008
【図７】
2016137207.tif 000009